(57)【要約】      （修正有）【課題】肩関節の全体を最も安静な位置に保つことができる肩関節用サポーターを提供する。【解決手段】患部である肩関節Ｘから患部でない肩関節Ｙ近傍まで延びる第１帯状体１１と、患部である肩関節から肩関節側の肘関節近傍まで延びる第２帯状体１２と、を有し、第１帯状体の一端と第２帯状体の一端とは、患部である肩関節近傍において連結しており、第１帯状体の他端には、他端を前記患部でない肩関節近傍に固定するための第１固定部材１３が設けられており、第２帯状体の他端には、他端を肘関節近傍に固定するための第２固定部材１４が設けられていることを特徴とする。【選択図】図１
0003186553.tif 000002
【実用新案登録請求の範囲】
【請求項１】
肩関節用サポーターであって、
患部である肩関節から患部でない肩関節近傍まで延びる第１帯状体と、
前記患部である肩関節から当該肩関節側の肘関節近傍まで延びる第２帯状体と、
を有し、
前記第１帯状体の一端と第２帯状体の一端とは、患部である肩関節近傍において連結しており、
前記第１帯状体の他端には、当該他端を前記患部でない肩関節近傍に固定するための第１固定部材が設けられており、
前記第２帯状体の他端には、当該他端を前記肘関節近傍に固定するための第２固定部材が設けられている、
ことを特徴とする肩関節用サポーター。
【請求項２】
前記第１帯状体および第２帯状体のいずれか一方または双方は、その長さが調整可能であることを特徴とする請求項１に記載の肩関節用サポーター。
【請求項３】
前記第２固定部材は、患部である肩関節側の肘関節が直角に曲がり、かつ当該肘関節から先が患者の前方に突出した状態となるように前記肘関節近傍に固定されることを特徴とする請求項１または２に記載の肩関節用サポーター。
【考案の詳細な説明】
【技術分野】
【０００１】
本考案は、肩関節用サポーターに関する。
【背景技術】
【０００２】
本願出願時において、種々の肩関節用サポーターが開発されており、四十肩や五十肩の痛み防止、さらには野球などにおいて肩を酷使した際に生じる肩の痛みの緩和、など多くの場面で肩関節用サポーターが用いられている。
【０００３】
例えば、特許文献１や２には、肩用サポーターが開示されている。
【先行技術文献】
【特許文献】
【０００４】
【特許文献１】特開２００３−２６５６７０号公報
【特許文献２】特開２００３−１０２７７６号公報
【考案の概要】
【考案が解決しようとする課題】
【０００５】
しかしながら、前記特許文献１〜２に開示されているように、従来の肩関節用サポーターの多くは、患部である肩関節を固定することのみを主眼として開発されたものがほとんどであり、肩関節周辺にあり当該肩関節を構成している骨、筋肉、靱帯、さらには筋（スジ）それぞれの構造を考慮した上で、肩関節全体をより安静な位置に保つことを主眼とした肩関節用サポーターは存在していなかった。
【０００６】
本考案はこのような状況においてなされたものであり、従来の肩関節用サポーターとは異なり、肩関節の全体を最も安静な位置に保つことができる肩関節用サポーターを提供することを主たる課題とする。
【課題を解決するための手段】
【０００７】
前記課題を解決するための考案は、肩関節用サポーターであって、患部である肩関節から患部でない肩関節近傍まで延びる第１帯状体と、前記患部である肩関節から当該肩関節側の肘関節近傍まで延びる第２帯状体と、を有し、前記第１帯状体の一端と第２帯状体の一端とは、患部である肩関節近傍において連結しており、前記第１帯状体の他端には、当該他端を前記患部でない肩関節近傍に固定するための第１固定部材が設けられており、前記第２帯状体の他端には、当該他端を前記肘関節近傍に固定するための第２固定部材が設けられている、ことを特徴とする。
【０００８】
前記の考案にあっては、前記第１帯状体および第２帯状体のいずれか一方または双方は、その長さが調整可能であってもよい。
【０００９】
前記の考案にあっては、前記第２固定部材は、患部である肩関節側の肘関節が直角に曲がり、かつ当該肘関節から先が患者の前方に突出した状態となるように前記肘関節近傍に固定されてもよい。
【考案の効果】
【００１０】
本考案の肩関節用サポーターは、患部である肩関節から患部でない肩関節近傍まで延びる第１帯状体を有しており、当該第１帯状体の他端に設けられた第１固定部材により当該第１帯状体は患部でない肩関節に固定できるため、この第１帯状体により患部である肩関節が、患部ではない肩関節側に適度に引っ張られた状態とすることができる。さらに本考案の肩関節用サポーターは、患部である肩関節から当該肩関節側の肘関節近傍まで延びる第２帯状体を有しており、当該第２帯状体の他端に設けられた第２固定部材により当該第２帯状体は患部である肩関節側の肘近傍に固定でき、かつ前記第１帯状体と第２帯状体とは連結しているため、患部である肩関節側の上肢帯が適度に吊り上げられた状態とすることができる。これにより、患部である肩関節近傍にある筋肉や筋が本来受けるべき、患部である肩関節自体の重さ、さらには当該肩関節から延びる腕自体の重さに起因する負荷を緩和することができ、患部である肩関節にある骨、筋肉、靱帯、さらには筋のそれぞれが適度に緩んだ状態を保つことができる。
【００１１】
また、本考案の肩関節用サポーターは、前記の通り患部である肩関節側の上肢帯が適度に吊り上げられた状態とすることができるため、当該サポーターを着用している際の患者の姿勢を正しく矯正するという作用効果も奏し得る。
【００１２】
さらに、本考案の肩関節用サポーターにあっては、これを着用している際に肋骨の動きが制限されることがないため、肋骨の動きが制限されることによって生じる様々な不具合、たとえば身体の痛みや軋みの発生を防止することもできる。
【００１３】
また、本考案にあっては、前記第１帯状体および第２帯状体のいずれか一方または双方について、その長さを調整可能とすることにより、種々の体型をもった患者のそれぞれに対して使用することができると共に、前述の「適度に引っ張られた状態」および「適度に吊り上げられた状態」を調整することができる。
【００１４】
また、本考案にあっては、前記第２固定部材を肘関節近傍に固定するにあたり、患部である肩関節側の肘関節が直角に曲がり、かつ当該肘関節から先が患者の前方に突出した状態となるように固定することにより、上記の作用効果、つまり、患部である肩関節にある骨、筋肉、靱帯、さらには筋のそれぞれが適度に緩んだ状態を保つという作用効果を高めることができる。
【図面の簡単な説明】
【００１５】
【図１】本考案の肩関節用サポーターが装着された状態の患者の背面図である。
【図２】第１固定部材の別の態様を示す図である。
【図３】患者を患部である肩関節側からみた側面図である。
【図４】第１帯状体の別の態様を示す図であり、第１帯状体１１の中間部分の拡大図である。
【図５】本考案の肩関節用サポーターの別の態様を示す図である。
【考案を実施するための形態】
【００１６】
以下、図面を参照しながら、本考案を実施形態について詳細に説明する。なお、本考案は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００１７】
図１は、本考案の肩関節用サポーターが装着された状態の患者の背面図である。
【００１８】
図１に示すように、本考案の肩関節用サポーター１０は、患部である肩関節Ｘから患部でない肩関節Ｙ近傍まで延びる第１帯状体１１と、前記患部である肩関節Ｘから当該肩関節側の肘関節Ｚ近傍まで延びる第２帯状体１２と、を有している。そして、さらに、前記第１帯状体１１の一端１１ａと第２帯状体の一端１２ａとは、患部である肩関節Ｘ近傍において連結しており、前記第１帯状体１１の他端１１ｂには、当該他端１１ｂを前記患部でない肩関節Ｙ近傍に固定するための第１固定部材１３が設けられており、前記第２帯状体１２の他端１２ｂには、当該他端１２ｂを前記肘関節Ｚ近傍に固定するための第２固定部材１４が設けられている。
【００１９】
このような本考案の肩関節用サポーター１０によれば、患部である肩関節Ｘ側の上肢帯Ｗが適度に吊り上げられた状態とすることができ、その結果、患部である肩関節Ｘ近傍にある筋肉や筋が本来受けるべき、患部である肩関節Ｘ自体の重さ、さらには当該肩関節Ｘから延びる腕自体の重さに起因する負荷を緩和することができ、患部である肩関節Ｘにある骨、筋肉、靱帯、さらには筋のそれぞれが適度に緩んだ状態を保つことができる。
【００２０】
本考案の肩関節用サポーター１０を構成する第１帯状体１１および第２帯状体１２の材質については特に限定されることはなく、従来公知の各種サポーターに用いられている科学繊維などを適宜選択して用いることができる。特に適度な伸縮性を有していることが好ましく、具体的には、ナイロン、ウレタン、ポリエステルなどを挙げることができる。
【００２１】
第１帯状体１１の長さは、患部である肩関節Ｘが患部でない肩関節Ｙ側に適度に引っ張られた状態とすることができる程度の長さとする必要があり、患者の体格などに応じて適宜設計すべきである。特定の患者専用の場合には、当該患者の身体を測定することにより第１帯状体１１の長さを設定してもよい。
【００２２】
第２帯状体１２の長さは、患部である肩関節Ｘ側の肘関節近傍Ｚおよび上肢帯Ｗが適度に吊り上げられた状態とすることができる程度の長さとする必要があり、前記第１帯状体１１と同様、患者の体格などに応じて適宜設計すべきである。第２帯状体１２にあっても、特定の患者専用とする場合には、当該患者の身体を測定することにより第２帯状体１２の長さを設定してもよい。
【００２３】
なお、第１帯状体１１および第２帯状体１２の形状は、長辺と短辺とを有しており全体として帯の形状を呈していればよく、厳密な意味での矩形状を呈している必要はなく、上記の作用効果を奏する形状であればよい。したがって、たとえばその一部において丸みを帯びた形状であってもよく、またその一部において環状を呈しており、患者の腕を通せるようになっていてもよい。
【００２４】
このような第１帯状体１１の一端１１ａと第２帯状体の一端１２ａとは、患部である肩関節Ｘ近傍において連結している。本考案のサポーター１０にあっては、前記連結の態様を特に限定されず、図１に示すような環状の連結部材１５を用い、これによって両者が連結されていてもよく、図示はしないが、両者が直接に縫い合わされることによって連結されていてもよく、さらには、第１帯状体１１の一端１１ａおよび第２帯状体の一端１２ａのそれぞれに面ファスナーが設けられており、当該面ファスナーによって両者が連結されていてもよい。また、第１帯状体１１と第２帯状体１２とは、必ずしも別体である必要はなく、一の帯状体によって形成されていてもよい。
【００２５】
第１帯状体１１の他端１１ｂには、当該他端１１ｂを患部でない肩関節Ｙ近傍に固定するための第１固定部材１３が設けられている。第１固定部材１３の材質や形状については特に限定されることはない。材質としては、たとえば第１帯状体１１や第２帯状体１２と同じ材質を用いてもよく、形状にあっては、図１に示すような環状であってもよく、図示はしないが、紐状であって、紐を患部でない肩関節Ｙ近傍に結びつけることによって固定する態様であってもよい。
【００２６】
図２は、第１固定部材１３の別の態様を示す図である。
【００２７】
図２に示すように、第１固定部材２３は、全体として環状を呈しており、患者の上肢帯を通すことにより肩関節Ｙ近傍に固定可能となっており、患者の上腕二頭筋を露出するための開口部２４が設けられていてもよい。第１固定部材２３をこのような形状とすることにより、上腕二頭筋を圧迫することなく固定することができるため、より安定した状態を作ることができる。
【００２８】
一方で、第２帯状体１２の他端１２ｂには、当該他端１２ｂを患部である肩Ｘ側の肘関節Ｚ近傍に固定するための第２固定部材１４が設けられている。第２固定部材１４の材質や形状についても特に限定されることはなく、前記第１固定部材１３と同様の態様とすることもできる。
【００２９】
図３は、患者を患部である肩関節Ｘ側からみた側面図である。
【００３０】
図３に示すように、第２固定部材１４は、患部である肩関節Ｘ側の肘関節Ｚが直角に曲がり、かつ当該肘関節Ｚから先が患者の前方に突出した状態となるように前記肘関節Ｚ近傍に固定されてもよい。このような状態を保持することにより、患部である肩関節Ｘにある骨、筋肉、靱帯、さらには筋のそれぞれが適度に緩んだ状態を保つことができる。
【００３１】
（他の実施の形態１）
図４は、第１帯状体１１の別の態様を示す図であり、第１帯状体１１の中間部分の拡大図である。
【００３２】
図４に示すように、第１帯状体１１を、その中間部分で二分し、当該中間部分に環状体４０を設け、当該環状体４０に第１帯状体１１をくぐらせ、図４の斜線部分に面ファスナーを設けておくことにより、第１帯状体１１の全長を調整可能とすることができる。このように、第１帯状体１１の長さを調整可能とすることにより、当該第１帯状体１１による引っ張り具合を適当に調節することができるとともに、体格の異なる種々の患者にも適用することができる。
【００３３】
なお、第１帯状体１１のみならず、図４に示す態様は第２帯状体１２にも適用可能である。また、図４に示す態様の他、たとえばズボンのベルトのごとき態様としてもよく、ボタンを用いて調整可能としてもよい。
【００３４】
また、図４に示す環状体４０を第１帯状体１１と第２帯状体１２との連結部に設けることにより、当該連結部において第１帯状体１１および第２帯状体１２双方の長さを調整可能とすることもできる。
【００３５】
（他の実施形態２）
図５は、本考案の肩関節用サポーター５０の別の態様を示す図である。
【００３６】
本考案の肩関節用サポーター５０は、前記で説明した第１帯状体１１、第２帯状体１２、第１固定部材１３、および第２固定部材１４のみから構成されている必要はなく、たとえば、図５に示すように、肌着１００など、患者が着用する衣服に本考案の肩関節用サポーター５０が内蔵されていてもよい。このように衣服に内蔵することにより、日常生活をしつつ患部である肩を治癒することができる。
【符号の説明】
【００３７】
１０…肩関節用サポーター
１１…第１帯状体
１２…第２帯状体
１３…第１固定部材
１４…第２固定部材
１５…連結部材
Ｗ…上肢帯
Ｘ…患部である肩関節
Ｙ…患部でない肩関節
Ｚ…患部である肩関節側の肘関節
【図１】
0003186553.tif 000003
【図２】
0003186553.tif 000004
【図３】
0003186553.tif 000005
【図４】
0003186553.tif 000006
【図５】
0003186553.tif 000007